(57)【要約】【課題】ケーブルに遮蔽を施すためのケーブル用遮蔽体及び該ケーブル用遮蔽体を用いた遮蔽ケーブル及びケーブル外被上への遮蔽層の形成方法を提供する。【解決手段】筒状の金属編組で構成され、径を変化させることが可能であり且つ遮蔽性を有するケーブル用遮蔽体３を、ケーブル端部から挿通してケーブル外被２上に被せた後、縮径させてケーブル外被２上に係止させてケーブル外被２上に設け、遮蔽層を形成した。【選択図】  図１
2004247101.tif 000002
【特許請求の範囲】
【請求項１】
径を変化させることが可能であり且つ遮蔽性を有する材質の筒体で構成し、ケーブル端部から挿通してケーブル外被上に被せた後、縮径させてケーブル外被上に係止させることを特徴とするケーブル用遮蔽体。
【請求項２】
前記筒体を、金属編組で構成したことを特徴とする請求項１に記載のケーブル用遮蔽体。
【請求項３】
径を変化させることが可能であり且つ遮蔽性を有する材質よりなる筒状の第１遮蔽部材と、径を変化させることが可能であり且つ接地線を接続するための接地部材を引き出し可能な遮蔽性を有する材質よりなる筒状の第２遮蔽部材とからなり、
前記第１遮蔽部材をケーブル端部から挿通してケーブル外皮上に被せた後、縮径させてケーブル外被上に係止させ、前記第２遮蔽部材をケーブル端部から挿通して前記ケーブル外被上に係止させた第１遮蔽部材上に被せた後、縮径させて該第１遮蔽部材上に係止させることを特徴とするケーブル用遮蔽体。
【請求項４】
前記第１遮蔽部材及び前記第２遮蔽部材を金属編組で構成し、前記第２遮蔽部材の編み込みの密度を、前記第１遮蔽部材の編み込みの密度よりも低くしたことを特徴とする請求項３に記載のケーブル用遮蔽体。
【請求項５】
径を変化させることが可能であり且つ遮蔽性を有する材質よりなる筒状のケーブル用遮蔽体を、ケーブル端部から挿通してケーブル外被上に被せた後、縮径させてケーブル外被上に係止させて構成したことを特徴とする遮蔽ケーブル。
【請求項６】
前記ケーブル用遮蔽体を、金属編組で構成したことを特徴とする請求項５に記載の遮蔽ケーブル。
【請求項７】
径を変化させることが可能であり且つ遮蔽性を有する材質よりなる筒状の第１遮蔽部材と、径を変化させることが可能であり且つ接地線を接続するための接地部材を引き出し可能な遮蔽性を有する材質よりなる筒状の第２遮蔽部材とでケーブル用遮蔽体を構成し、前記第１遮蔽部材をケーブル端部から挿通して前記ケーブル外皮上に被せた後、縮径させてケーブル外被上に係止させ、前記第２遮蔽部材をケーブル端部から挿通して前記ケーブル外被上に係止させた第１遮蔽部材上に被せた後、縮径させて該第１遮蔽部材上に係止させることにより、前記ケーブル用遮蔽体をケーブル外被上に設けて構成したことを特徴とする遮蔽ケーブル。
【請求項８】
前記ケーブル用遮蔽体を構成する第１遮蔽部材及び第２遮蔽部材を金属編組で構成し、前記第２遮蔽部材の編み込みの密度を、前記第１遮蔽部材の編み込みの密度よりも低くしたことを特徴とする請求項７に記載の遮蔽ケーブル。
【請求項９】
径を変化させることが可能であり且つ遮蔽性を有する材質よりなる筒状のケーブル用遮蔽体を、ケーブル端部から挿通してケーブル外被上に被せた後、縮径させてケーブル外被上に係止させることにより、ケーブル外被上に遮蔽層を形成することを特徴とするケーブル外被上への遮蔽層の形成方法。
【請求項１０】
前記ケーブル用遮蔽体を、金属編組で構成したことを特徴とする請求項９に記載のケーブル外被上への遮蔽層の形成方法。
【請求項１１】
径を変化させることが可能であり且つ遮蔽性を有する材質よりなる筒状の第１遮蔽部材と、径を変化させることが可能であり且つ接地線を接続するための接地部材を引き出し可能な遮蔽性を有する材質よりなる筒状の第２遮蔽部材とでケーブル用遮蔽体を構成し、前記第１遮蔽部材をケーブル端部から挿通してケーブル外皮上に被せた後、縮径させてケーブル外被上に係止させ、前記第２遮蔽部材をケーブル端部から挿通して前記ケーブル外被上に係止させた第１遮蔽部材上に被せた後、縮径させて該第１遮蔽部材上に係止させることにより、前記ケーブル用遮蔽体をケーブル外被上に設けてケーブル外被上に遮蔽層を形成することを特徴とするケーブル外被上への遮蔽層の形成方法。
【請求項１２】
前記ケーブル用遮蔽体を構成する前記第１遮蔽部材及び第２遮蔽部材を金属編組で構成し、前記第２遮蔽部材の編み込みの密度を、前記第１遮蔽部材の編み込みの密度よりも低くしたことを特徴とする請求項１１に記載のケーブル外被上への遮蔽層の形成方法。
【発明の詳細な説明】
【０００１】
【発明の属する技術分野】
本発明は、ケーブルに遮蔽を施すためのケーブル用遮蔽体及び該ケーブル用遮蔽体を用いた遮蔽ケーブル及びケーブル外被上への遮蔽層の形成方法に関する。
【０００２】
【従来の技術】
電子機器間の接続等をする場合にあって、外部からのノイズによる弊害を防止したい場合には、遮蔽層を有する遮蔽ケーブルが用いられている。かかる遮蔽ケーブルとしては、例えば、複数本の絶縁線心を撚り合わせた上に誘電体層を形成し、該誘電体層の外周に金属製の遮蔽テープを巻回して遮蔽層を形成し、その上にシースを施した遮蔽ケーブルが知られている（例えば、特許文献１参照。）。
【０００３】
【特許文献１】
特開平１１−３０６８７５号公報（第３頁、第１図）
【０００４】
【発明が解決しようとする課題】
一方、外部からのノイズによる弊害が問題にならないような場合には、必ずしも遮蔽ケーブルを用いる必要がないことから、遮蔽を施していないケーブルが用いられていることも多い。
【０００５】
しかしながら、そのような場合においても、新たに外部からのノイズによる弊害を防止する必要性が生じる場合もあり、ケーブルに遮蔽効果を持たせる必要が出てくる場合もある。例えば、家庭内のＬＡＮ（Ｌｏｃａｌ  Ａｒｅａ  Ｎｅｔｗｏｒｋ）に用いられているケーブルには、遮蔽層を有しないケーブルが用いられることも多い。しかし、近年、高速通信が可能なＡＤＳＬ（ａｓｙｍｍｅｔｒｉｃ  ｄｉｇｉｔａｌ  ｓｕｂｓｃｒｉｂｅｒ  ｌｉｎｅ）等が普及しており、かかるＡＤＳＬによる通信を行う場合、遮蔽ケーブルを用いていないと、ケーブルに外部からの軽微なノイズが混入することにより、通信速度が低下するといった問題を生じる。このように、新たに外部からのノイズによる弊害が問題となった場合、従来においては、遮蔽層を有しない既設のケーブルを、遮蔽層を有する遮蔽ケーブルに新たに交換しなければならなかった。このようなことから、ケーブルを交換することなく、遮蔽層を有しない既設のケーブルに遮蔽を施して、これを遮蔽ケーブルとして利用することが望まれている。
【０００６】
本発明の目的は、ケーブルに遮蔽を施すためのケーブル用遮蔽体及び該ケーブル用遮蔽体を用いた遮蔽ケーブル及びケーブル外被上への遮蔽層の形成方法を提供することにある。
【０００７】
【課題を解決するための手段】
上記目的を達成するために、請求項１に記載の発明に係るケーブル用遮蔽体は、径を変化させることが可能であり且つ遮蔽性を有する材質の筒体で構成し、ケーブル端部から挿通してケーブル外被上に被せた後、縮径させてケーブル外被上に係止させることを特徴とする。
【０００８】
このような請求項１に記載の本発明によれば、ケーブルに遮蔽を施すためには、先ずケーブル用遮蔽体の径をケーブル端部よりも大きな径とし、このようにしたケーブル用遮蔽体をケーブルに挿通してケーブル外皮上に被せる。そして、このようにしてケーブル外被上に被せたケーブル用遮蔽体を、縮径させてケーブル外皮上に係止させることにより、ケーブルに遮蔽層が形成される。
【０００９】
そして、このようにして遮蔽層を形成するので、遮蔽層を有しない既設のケーブルに、簡単に遮蔽を施すことができる。したがって、新たにケーブルの遮蔽効果が必要となった場合であっても、既設のケーブルをそのまま遮蔽ケーブルとして利用することができ、ケーブル交換の必要がない。
【００１０】
また、かかる遮蔽層を有する遮蔽ケーブルは、ケーブルの外径を抑えることができる。
【００１１】
請求項２に記載の発明に係るケーブル用遮蔽体は、前記筒体を、金属編組で構成したことを特徴とする。
【００１２】
このような請求項２に記載の本発明によれば、前記ケーブル用遮蔽体は、ケーブル端部からの挿通や、挿通後のケーブル外被上への係止の際に、その径を容易に変化させることができる。また、かかるケーブル用遮蔽体によって形成した遮蔽層を有する遮蔽ケーブルは、可撓性に優れる。
【００１３】
請求項３に記載の発明に係るケーブル用遮蔽体は、径を変化させることが可能であり且つ遮蔽性を有する材質よりなる筒状の第１遮蔽部材と、径を変化させることが可能であり且つ接地線を接続するための接地部材を引き出し可能な遮蔽性を有する材質よりなる筒状の第２遮蔽部材とからなり、前記第１遮蔽部材をケーブル端部から挿通してケーブル外皮上に被せた後、縮径させてケーブル外被上に係止させ、前記第２遮蔽部材をケーブル端部から挿通して前記ケーブル外被上に係止させた第１遮蔽部材上に被せた後、縮径させて該第１遮蔽部材上に係止させることを特徴とする。
【００１４】
このような請求項３に記載の本発明によれば、ケーブルに遮蔽を施すためには、先ず第１遮蔽部材の径をケーブル端部よりも大きな径とし、かかる第１遮蔽部材をケーブルに挿通してケーブル外皮上に被せた後、縮径させてケーブル外被上に係止させる。次に、第２遮蔽部材の径をケーブル端部よりも大きな径とし、ケーブル端部から挿通して前記ケーブル外被上に係止させた第１遮蔽部材上に被せた後、縮径させて該第１遮蔽部材上に係止させる。このようにして、第１遮蔽部材と第２遮蔽部材とで構成されるケーブル用遮蔽体を、ケーブル外被上に設けることにより、ケーブルに遮蔽層が形成される。
【００１５】
そして、このようにして遮蔽層を形成するので、遮蔽層を有しない既設のケーブルに、簡単に遮蔽を施すことができる。したがって、新たにケーブルの遮蔽効果が必要となった場合であっても、既設のケーブルをそのまま遮蔽ケーブルとして利用することができ、ケーブル交換の必要がない。
【００１６】
また、前記ケーブル用遮蔽体をケーブル外被上に設けて形成した遮蔽層の接地は、第２遮蔽部材から引き出された接地部材に接地線を適宜手段で接続することにより行えるので、接地作業が容易である。
【００１７】
また、かかる遮蔽層を有する遮蔽ケーブルは、ケーブルの外径を抑えることができる。
【００１８】
請求項４に記載の発明に係るケーブル用遮蔽体は、前記第１遮蔽部材及び前記第２遮蔽部材を金属編組で構成し、前記第２遮蔽部材の編み込みの密度を、前記第１遮蔽部材の編み込みの密度よりも低くしたことを特徴とする。
【００１９】
このような請求項４に記載の本発明によれば、前記第１遮蔽部材及び前記第２遮蔽部材は、ケーブル端部からの挿通や、挿通後のケーブル外被上への係止の際に、その径を容易に変化させることができる。また、第２遮蔽部材の一部を切断して金属線を引き出すことにより、これを前記接地部材とすることが可能である。そして、第２遮蔽部材は第１遮蔽部材よりも編み込みの密度が低いことから、その一部を切断して接地部材となる金属線を引き出すことが容易であるとともに、第１遮蔽部材上を移動させやすいので、遮蔽層の形成が容易である。また、かかるケーブル用遮蔽体によって形成した遮蔽層を有する遮蔽ケーブルは、可撓性に優れる。
【００２０】
請求項５に記載の発明に係る遮蔽ケーブルは、径を変化させることが可能であり且つ遮蔽性を有する材質よりなる筒状のケーブル用遮蔽体を、ケーブル端部から挿通してケーブル外被上に被せた後、縮径させてケーブル外被上に係止させて構成したことを特徴とする。
【００２１】
このような請求項５に記載の本発明によれば、ケーブル用遮蔽体の径をケーブル端部よりも大きな径とし、このようにしたケーブル用遮蔽体をケーブルに挿通してケーブル外皮上に被せる。そして、このようにしてケーブル外被上に被せたケーブル用遮蔽体を、縮径させてケーブル外皮上に係止させることにより、遮蔽層が形成され、遮蔽ケーブルとなる。
【００２２】
そして、このようにして遮蔽層を形成するので、遮蔽層を有しない既設のケーブルに、簡単に遮蔽を施すことができる。したがって、新たにケーブルの遮蔽効果が必要となった場合であっても、既設のケーブルをそのまま遮蔽ケーブルとして利用することができ、ケーブル交換の必要がない。
【００２３】
また、かかる遮蔽層を有する遮蔽ケーブルは、ケーブルの外径を抑えることができる。
【００２４】
請求項６に記載の発明に係る遮蔽ケーブルは、前記ケーブル用遮蔽体を、金属編組で構成したことを特徴とする。
【００２５】
このような請求項６に記載の本発明によれば、前記ケーブル用遮蔽体は、ケーブル端部からの挿通や、挿通後のケーブル外被上への係止の際に、その径を容易に変化させることができる。また、かかるケーブル用遮蔽体によって形成した遮蔽層を有する遮蔽ケーブルは、可撓性に優れる。
【００２６】
請求項７に記載の発明に係る遮蔽ケーブルは、径を変化させることが可能であり且つ遮蔽性を有する材質よりなる筒状の第１遮蔽部材と、径を変化させることが可能であり且つ接地線を接続するための接地部材を引き出し可能な遮蔽性を有する材質よりなる筒状の第２遮蔽部材とでケーブル用遮蔽体を構成し、前記第１遮蔽部材をケーブル端部から挿通して前記ケーブル外皮上に被せた後、縮径させてケーブル外被上に係止させ、前記第２遮蔽部材をケーブル端部から挿通して前記ケーブル外被上に係止させた第１遮蔽部材上に被せた後、縮径させて該第１遮蔽部材上に係止させることにより、前記ケーブル用遮蔽体をケーブル外被上に設けて構成したことを特徴とする。
【００２７】
このような請求項７に記載の本発明によれば、第１遮蔽部材の径をケーブル端部よりも大きな径とし、かかる第１遮蔽部材をケーブルに挿通してケーブル外皮上に被せた後、縮径させてケーブル外被上に係止させる。次に、第２遮蔽部材の径をケーブル端部よりも大きな径とし、ケーブル端部から挿通して前記ケーブル外被上に係止させた第１遮蔽部材上に被せた後、縮径させて該第１遮蔽部材上に係止させる。このようにして、第１遮蔽部材と第２遮蔽部材とで構成されるケーブル用遮蔽体を、ケーブル外被上に設けることにより、遮蔽層が形成され、遮蔽ケーブルとなる。
【００２８】
そして、このようにして遮蔽層を形成するので、遮蔽層を有しない既設のケーブルに、簡単に遮蔽を施すことができる。したがって、新たにケーブルの遮蔽効果が必要となった場合であっても、既設のケーブルをそのまま遮蔽ケーブルとして利用することができ、ケーブル交換の必要がない。
【００２９】
また、前記ケーブル用遮蔽体をケーブル外被上に設けて形成した遮蔽層の接地は、第２遮蔽部材から引き出された接地部材に接地線を適宜手段で接続することにより行えるので、接地作業が容易である。
【００３０】
また、かかる遮蔽層を有する遮蔽ケーブルは、ケーブルの外径を抑えることができる。
【００３１】
請求項８に記載の発明に係る遮蔽ケーブルは、前記ケーブル用遮蔽体を構成する第１遮蔽部材及び第２遮蔽部材を金属編組で構成し、前記第２遮蔽部材の編み込みの密度を、前記第１遮蔽部材の編み込みの密度よりも低くしたことを特徴とする。
【００３２】
このような請求項８に記載の本発明によれば、前記第１遮蔽部材及び前記第２遮蔽部材は、ケーブル端部からの挿通や、挿通後のケーブル外被上への係止の際に、その径を容易に変化させることができる。また、第２遮蔽部材の一部を切断して金属線を引き出すことにより、これを前記接地部材とすることが可能である。そして、第２遮蔽部材は第１遮蔽部材よりも編み込みの密度が低いことから、その一部を切断して接地部材となる金属線を引き出すことが容易であるとともに、第１遮蔽部材上を移動させやすいので、遮蔽層の形成が容易である。また、かかるケーブル用遮蔽体によって形成した遮蔽層を有する遮蔽ケーブルは、可撓性に優れる。
【００３３】
請求項９に記載の発明に係るケーブル外被上への遮蔽層の形成方法は、径を変化させることが可能であり且つ遮蔽性を有する材質よりなる筒状のケーブル用遮蔽体を、ケーブル端部から挿通してケーブル外被上に被せた後、縮径させてケーブル外被上に係止させることにより、ケーブル外被上に遮蔽層を形成することを特徴とする。
【００３４】
このような請求項９に記載の本発明によれば、遮蔽層を有しない既設のケーブルに、簡単に遮蔽層を形成して遮蔽ケーブルとすることができる。したがって、新たにケーブルの遮蔽効果が必要となった場合であっても、既設のケーブルをそのまま遮蔽ケーブルとして利用することができ、ケーブル交換の必要がない。
【００３５】
また、かかる遮蔽層を有する遮蔽ケーブルは、ケーブルの外径を抑えることができる。
【００３６】
請求項１０に記載の発明に係るケーブル外被上への遮蔽層の形成方法は、前記ケーブル用遮蔽体を、金属編組で構成したことを特徴とする。
【００３７】
このような請求項１０に記載の本発明によれば、前記ケーブル用遮蔽体は、ケーブル端部からの挿通や、挿通後のケーブル外被上への係止の際に、その径を容易に変化させることができる。また、かかるケーブル用遮蔽体によって形成した遮蔽層を有する遮蔽ケーブルは、可撓性に優れる。
【００３８】
請求項１１に記載の発明に係るケーブル外被上への遮蔽層の形成方法は、径を変化させることが可能であり且つ遮蔽性を有する材質よりなる筒状の第１遮蔽部材と、径を変化させることが可能であり且つ接地線を接続するための接地部材を引き出し可能な遮蔽性を有する材質よりなる筒状の第２遮蔽部材とでケーブル用遮蔽体を構成し、前記第１遮蔽部材をケーブル端部から挿通してケーブル外皮上に被せた後、縮径させてケーブル外被上に係止させ、前記第２遮蔽部材をケーブル端部から挿通して前記ケーブル外被上に係止させた第１遮蔽部材上に被せた後、縮径させて該第１遮蔽部材上に係止させることにより、前記ケーブル用遮蔽体をケーブル外被上に設けてケーブル外被上に遮蔽層を形成することを特徴とする。
【００３９】
このような請求項１１に記載の本発明によれば、遮蔽層を有しない既設のケーブルに、簡単に遮蔽層を形成して遮蔽ケーブルとすることができる。したがって、新たにケーブルの遮蔽効果が必要となった場合であっても、既設のケーブルをそのまま遮蔽ケーブルとして利用することができ、ケーブル交換の必要がない。
【００４０】
そして、前記ケーブル用遮蔽体をケーブル外被上に設けて形成した遮蔽層の接地は、第２遮蔽部材から引き出された接地部材に接地線を適宜手段で接続することにより行えるので、接地作業が容易である。
【００４１】
また、かかる遮蔽層を有する遮蔽ケーブルは、ケーブルの外径を抑えることができる。
【００４２】
請求項１２に記載の発明に係るケーブル外被上への遮蔽層の形成方法は、前記ケーブル用遮蔽体を構成する前記第１遮蔽部材及び第２遮蔽部材を金属編組で構成し、前記第２遮蔽部材の編み込みの密度を、前記第１遮蔽部材の編み込みの密度よりも低くしたことを特徴とする。
【００４３】
このような請求項１２に記載の本発明によれば、前記第１遮蔽部材及び前記第２遮蔽部材は、ケーブル端部からの挿通や、挿通後のケーブル外被上への係止の際に、その径を容易に変化させることができる。また、金属編組で構成した第２遮蔽部材の一部を切断して金属線を引き出すことにより、これを前記接地部材とすることが可能である。そして、第２遮蔽部材は第１遮蔽部材よりも編み込みの密度が低いことから、その一部を切断して接地部材となる金属線を引き出すことが容易であるとともに、第１遮蔽部材上を移動させやすいので、遮蔽層の形成が容易である。また、かかるケーブル用遮蔽体によって形成した遮蔽層を有する遮蔽ケーブルは、可撓性に優れる。
【００４４】
【発明の実施の形態】
以下、本発明の実施の形態の第１例について図面に基づいて詳細に説明する。
図１は本発明に係る遮蔽ケーブルの実施の形態の第１例を示す斜視図、図２及び図３はケーブル端部からケーブル用遮蔽体を挿通した状態を示す図、図４はケーブル用遮蔽体をケーブル外被上に係止させて遮蔽層を形成した遮蔽ケーブルを示す図である。
【００４５】
図において、１は遮蔽ケーブルであり、この遮蔽ケーブル１における遮蔽層は、例えば家庭内のＬＡＮケーブルとして用いられている既設のケーブルのケーブル外被２上に、ケーブル用遮蔽体３を設けて形成されている。なお、４はコネクタである。
【００４６】
前記ケーブル用遮蔽体３は、本例では筒状の金属編組で構成されている。このようなケーブル用遮蔽体３は、遮蔽性を有するとともに、その径を、少なくともケーブル端部のコネクタ４を通過することができる大きさからケーブル外径の大きさまで変化させることができるようになっている。
【００４７】
そして、遮蔽ケーブル１にあっては、かかるケーブル用遮蔽体３を、以下のようにしてケーブル外被２上に設けることにより、遮蔽層が形成される。
【００４８】
先ず、一端側の径をケーブル端部のコネクタ４よりも大きな径としたケーブル用遮蔽体３を、ケーブル端部から挿通した後（図２）、該ケーブル用遮蔽体３の径を順次ケーブル端部のコネクタ４よりも大きな径としながらケーブル用遮蔽体の挿通を行って、ケーブル外皮２上にケーブル用遮蔽体３を被せる。そして、このようにしてケーブル外被２上に被せたケーブル用遮蔽体３を順次縮径させ（図３）、ケーブル外皮２上に係止させる（図４）。このようにしてケーブル用遮蔽体３をケーブル外被２上に設けることにより、遮蔽層がケーブル外皮２上に形成される。なお、ケーブル用遮蔽体３をケーブル外被２上に被せるにあたっては、予めケーブル用遮蔽体３を、全長に渡ってケーブル端部のコネクタ４よりも大きな径としておいてもよい。
【００４９】
そして、このようにしてケーブル外被２上にケーブル用遮蔽体３を設けて形成した遮蔽層の接地は、ケーブル用遮蔽体３の一端部或いは他端部の外周に、接地線の導体を巻き付けたり、半田付け等をして接地線を取り付けることにより行う。或いは、遮蔽層の接地は、金属編組で構成されたケーブル用遮蔽体３の一部を切断して金属線を引き出して接地部材とし（不図示）、これに接地線を取り付けて接地を行ってもよい。
【００５０】
このような本実施の形態によれば、遮蔽層を有しない既設のケーブルに、簡単に遮蔽層を形成して遮蔽ケーブルとすることができる。したがって、新たにケーブルの遮蔽効果が必要となった場合であっても、既設のケーブルをそのまま遮蔽ケーブルとして利用することができ、ケーブル交換の必要がない。また、このようにして形成された遮蔽層を有する遮蔽ケーブル１は、従来の遮蔽ケーブルに比べてケーブルの外径を抑えることができる。
【００５１】
また、遮蔽層を形成するケーブル用遮蔽体３は、金属編組で構成されているので、ケーブル端部からの挿通や、挿通後のケーブル外被２上への係止の際に、その径を容易に変化させることができる。また、かかるケーブル用遮蔽体３によって形成した遮蔽層を有する遮蔽ケーブル１は、可撓性に優れる。
【００５２】
次に、本発明の実施の形態の第２例について、図５に基づいて説明する。
図において、１０は本例の遮蔽ケーブルであり、この遮蔽ケーブル１０における遮蔽層は、例えば家庭内のＬＡＮケーブルとして用いられている既設のケーブルのケーブル外被１１上に、ケーブル用遮蔽体１２を設けて形成されている。なお、１３はコネクタである。
【００５３】
本例においては、前記ケーブル用遮蔽体１２は、第１遮蔽部材１４と第２遮蔽部材１５とから構成されている。該第１遮蔽部材１４及び第２遮蔽部材１５は、本例では筒状の金属編組で構成されている。このような第１遮蔽部材１４及び第２遮蔽部材１５は、遮蔽性を有するとともに、その径を、少なくともケーブル端部のコネクタ１３を通過することができる大きさからケーブル外径の大きさまで変化させることができるようになっている。
【００５４】
金属編組で構成された前記第２遮蔽部材１５は、接地線を接続するための接地部材１６を引き出し可能となっている。具体的には、接地部材１６は、第２遮蔽部材１５の一部を切断して引き出した金属線により形成されている。そして、第２遮蔽部材１５は、その一部を切断して接地部材１６となる金属線を引き出しやすいように、その編み込みの密度が第１遮蔽部材１４の編み込みの密度よりも低くなっている。
【００５５】
遮蔽ケーブル１０における遮蔽層の形成は、以下のようにして行われる。
【００５６】
先ず、前記実施の形態の第１例と同様、一端側の径をケーブル端部のコネクタ１３よりも大きくした第１遮蔽部材１４を、ケーブル端部から挿通した後、該第１遮蔽部材１４の径を順次ケーブル端部のコネクタ１３よりも大きな径としながら第１遮蔽部材１４の挿通を行って、ケーブル外被１１上に第１遮蔽部材１４を被せる。そして、このようにしてケーブル外被１１上に被せた第１遮蔽部材１４を縮径させてこれをケーブル外被１１上に係止させる。次に、一端側の径をケーブル端部のコネクタよりも大きくした第２遮蔽部材１５を、ケーブル端部から挿通した後、該第２遮蔽部材１５の径を順次ケーブル端部のコネクタ１３よりも大きな径としながら第２遮蔽部材１５の挿通を行って、前記ケーブル外被１１上に係止させた第１遮蔽部材１４上に被せる。そして、このようにして第１遮蔽部材１４上に被せた第２遮蔽部材１５を縮径させて第１遮蔽部材１４上に係止させる。このとき、第１遮蔽部材１４と第２遮蔽部材１５は、少なくとも一部が密着して導通している。
【００５７】
このようにして、第１遮蔽部材１４と第２遮蔽部材１５とで構成されるケーブル用遮蔽体１２を、ケーブル外被１１上に設けることにより、遮蔽層がケーブル外被１１上に形成される。なお、第１遮蔽部材１４及び第２遮蔽部材１５をケーブル外被１１上に被せるにあたっては、予め第１遮蔽部材１４及び第２遮蔽部材１５を、全長に渡ってケーブル端部のコネクタ１３よりも大きな径としておいてもよい。
【００５８】
そして、このようにしてケーブル外被１１上にケーブル用遮蔽体１２を設けて形成した遮蔽層の接地は以下のようにして行う。すなわち、先ず第２遮蔽部材１５の一部を切断して金属線を引き出して接地部材１６を形成する。そして、この接地部材１６に接地線（不図示）の導体を半田付け等により付けることにより、接地線を接続する。
【００５９】
このような本実施の形態によれば、遮蔽層を有しない既設のケーブルに、簡単に遮蔽層を形成して遮蔽ケーブルとすることができる。したがって、新たにケーブルの遮蔽効果が必要となった場合であっても、既設のケーブルをそのまま遮蔽ケーブルとして利用することができ、ケーブル交換の必要がない。また、このようにして形成した遮蔽層を有する遮蔽ケーブル１０は、従来の遮蔽ケーブルに比べてケーブルの外径を抑えることができる。
【００６０】
そして、第１遮蔽部材１４と第２遮蔽部材１５は、金属編組で構成されていることから、その径を容易に変化させることができるとともに、第１遮蔽部材１４と第２遮蔽部材１５とで構成されるケーブル用遮蔽体１２によって形成した遮蔽層を有する遮蔽ケーブル１０は、可撓性に優れる。
【００６１】
また、前記ケーブル用遮蔽体１２をケーブル外被１１上に設けて形成した遮蔽層の接地は、第２遮蔽部材１５から引き出された接地部材１６に接地線を接続することにより行えるので、接地作業が容易である。さらに、第２遮蔽部材１５は第１遮蔽部材１４よりも編み込みの密度が低いことから、その一部を切断して接地部材１６となる金属線を引き出すことが容易であるとともに、第１遮蔽部材１４上を移動させやすいので、遮蔽層の形成が容易である。
【００６２】
なお、前記第１遮蔽部材１４及び第２遮蔽部材１５の材質は、金属であればよいが、電磁遮蔽効果を得るために、第１遮蔽部材の材質を銅とし、第２遮蔽部材の材質を鉄或いはステンレスとしてもよい。
【００６３】
【発明の効果】
以上説明したように請求項１に記載の発明によれば、遮蔽層を有しない既設のケーブルに、簡単に遮蔽層を形成して遮蔽ケーブルとすることができる。また、かかる遮蔽層を有する遮蔽ケーブルは、ケーブルの外径を抑えることができる。
【００６４】
請求項２に記載の発明によれば、ケーブル用遮蔽体を、ケーブル端部から挿通する際や、挿通後にケーブル外被上に係止する際に、その径を容易に変化させることができる。また、かかるケーブル用遮蔽体によって形成した遮蔽層を有する遮蔽ケーブルは、可撓性に優れる。
【００６５】
請求項３に記載の発明によれば、遮蔽層を有しない既設のケーブルに、簡単に遮蔽層を形成して遮蔽ケーブルとすることができる。したがって、新たにケーブルの遮蔽効果が必要となった場合であっても、既設のケーブルをそのまま遮蔽ケーブルとして利用することができ、ケーブル交換の必要がない。また、接地作業が容易であるとともに、ケーブルの外径を抑えることができる。
【００６６】
請求項４に記載の発明によれば、第１遮蔽部材及び第２遮蔽部材は、ケーブル端部からの挿通や、挿通後のケーブル外被上への係止の際に、その径を容易に変化させることができる。また、金属編組で構成した第２遮蔽部材の一部を切断して金属線を引き出すことにより、これを接地部材とすることが可能である。そして、第２遮蔽部材の一部を切断して接地部材となる金属線を引き出すことが容易であるとともに、第１遮蔽部材上を移動させやすいので、遮蔽層の形成が容易である。また、ケーブルの可撓性に優れる。
【００６７】
請求項５に記載の発明によれば、遮蔽層を有しない既設のケーブルに、簡単に遮蔽層を形成して遮蔽ケーブルとすることができる。したがって、新たにケーブルの遮蔽効果が必要となった場合であっても、既設のケーブルをそのまま遮蔽ケーブルとして利用することができ、ケーブル交換の必要がない。また、かかる遮蔽層を有する遮蔽ケーブルは、ケーブルの外径を抑えることができる。
【００６８】
請求項６に記載の発明によれば、ケーブル用遮蔽体を、ケーブル端部から挿通する際や、挿通後にケーブル外被上に係止する際に、その径を容易に変化させることができる。また、かかるケーブル用遮蔽体によって形成した遮蔽層を有する遮蔽ケーブルは、可撓性に優れる。
【００６９】
請求項７に記載の発明によれば、遮蔽層を有しない既設のケーブルに、簡単に遮蔽層を形成して遮蔽ケーブルとすることができる。したがって、新たにケーブルの遮蔽効果が必要となった場合であっても、既設のケーブルをそのまま遮蔽ケーブルとして利用することができ、ケーブル交換の必要がない。また、接地作業が容易であるとともに、ケーブルの外径を抑えることができる。
【００７０】
請求項８に記載の発明によれば、第１遮蔽部材及び第２遮蔽部材は、ケーブル端部からの挿通や、挿通後のケーブル外被上への係止の際に、その径を容易に変化させることができる。また、金属編組で構成した第２遮蔽部材の一部を切断して金属線を引き出すことにより、これを接地部材とすることが可能である。そして、第２遮蔽部材は第１遮蔽部材よりも編み込みの密度が低いことから、その一部を切断して接地部材となる金属線を引き出すことが容易であるとともに、第１遮蔽部材上を移動させやすいので、遮蔽層の形成が容易である。また、ケーブルの可撓性に優れる。
【００７１】
請求項９に記載の発明によれば、遮蔽層を有しない既設のケーブルに、簡単に遮蔽層を形成して遮蔽ケーブルとすることができる。したがって、新たにケーブルの遮蔽効果が必要となった場合であっても、既設のケーブルをそのまま遮蔽ケーブルとして利用することができ、ケーブル交換の必要がない。また、かかる遮蔽層を有する遮蔽ケーブルは、ケーブルの外径を抑えることができる。
【００７２】
請求項１０に記載の発明によれば、ケーブル用遮蔽体を、ケーブル端部から挿通する際や、挿通後にケーブル外被上に係止する際に、その径を容易に変化させることができる。また、かかるケーブル用遮蔽体によって形成した遮蔽層を有する遮蔽ケーブルは、可撓性に優れる。
【００７３】
請求項１１に記載の発明によれば、遮蔽層を有しない既設のケーブルに、簡単に遮蔽層を形成して遮蔽ケーブルとすることができる。したがって、新たにケーブルの遮蔽効果が必要となった場合であっても、既設のケーブルをそのまま遮蔽ケーブルとして利用することができ、ケーブル交換の必要がない。また、接地作業が容易であるとともに、ケーブルの外径を抑えることができる。
【００７４】
請求項１２に記載の発明によれば、第１遮蔽部材及び第２遮蔽部材は、ケーブル端部からの挿通や、挿通後のケーブル外被上への係止の際に、その径を容易に変化させることができる。また、金属編組で構成した第２遮蔽部材の一部を切断して金属線を引き出すことにより、これを接地部材とすることが可能である。そして、第２遮蔽部材の一部を切断して接地部材となる金属線を引き出すことが容易であるとともに、第１遮蔽部材上を移動させやすいので、遮蔽層の形成が容易である。また、ケーブルの可撓性に優れる。
【図面の簡単な説明】
【図１】本発明に係る遮蔽ケーブルの実施の形態の第１例を示す斜視図。
【図２】ケーブル端部からケーブル用遮蔽体を挿通した状態を示す図。
【図３】ケーブル端部からケーブル用遮蔽体を挿通した状態を示す図。
【図４】ケーブル用遮蔽体をケーブル外被上に係止させて遮蔽層を形成した遮蔽ケーブルを示す図。
【図５】本発明に係る遮蔽ケーブルの実施の形態の第２例を示す斜視図。
【符号の説明】
１，１０    遮蔽ケーブル
２，１１    ケーブル外被
３，１２    ケーブル用遮蔽体
１４        第１遮蔽部材
１５        第２遮蔽部材
１６        接地部材
【図１】
2004247101.tif 000003
【図２】
2004247101.tif 000004
【図３】
2004247101.tif 000005
【図４】
2004247101.tif 000006
【図５】
2004247101.tif 000007